(57)【要約】      （修正有）【課題】多チャンネルセラミックスピーカーヘッドフォンを提供する。【解決手段】本多チャンネルセラミックスピーカーヘッドフォンは、筐体１と、その筐体に異なる音域を配置し、且つ薄型化したセラミックスピーカーとを含む。その内、筐体には、収容室１１を設け、該収容室には低音セラミックスピーカー２を配置し、低音セラミックスピーカー端には弾性部品２０を設けて、収容室の内壁に引っ掛ける。筐体の内側縁の上下には、内側方向に延伸し、適当な傾斜角度を有する支持架１２を設け、該支持架にはそれぞれ、中高音チャンネルセラミックスピーカー３を配置して、多チャンネル音声モジュールＡを構成し、二つの多チャンネル音声モジュールをそれぞれヘッドフォンに取り付ける。低音及び中高音チャンネルセラミックスピーカーがオーディオ信号を受信した後、導き出される異なる音域のサウンドによって、ヘッドフォンは多チャンネル聴取効果を達成する。【選択図】図１
0003169446.tif 000002
【実用新案登録請求の範囲】
【請求項１】
多チャンネルセラミックスピーカーヘッドフォンに備える筐体には、収容室を設け、収容室には低音セラミックスピーカーを配置し、低音セラミックスピーカー端に設けた弾性部品を収容室の内壁に引っ掛け、筐体の内側縁の上下には、内側方向に延伸し適当な傾斜角度を有する支持架を設けて、中高音チャンネルセラミックスピーカーをホールド板に固定し、
筐体の前方端に結合する前蓋には、複数の貫通孔を備え、
前記構成要素の組み合わせによって構成される多チャンネル音声モジュールの二つをそれぞれ、ヘッドフォンに取り付け、低音セラミックスピーカーと中高音チャンネルセラミックスピーカーとによってオーディオ信号が受信され、音域の異なるサウンドを導き出すヘッドフォンは、多チャンネルの聴取効果を達成し、尚且つ、マルチチャンネルのヘッドフォンは、ボイスコイルを備えない薄型化により、携帯に利便をはかることを特徴とする多チャンネルセラミックスピーカーヘッドフォン。
【請求項２】
前記低音セラミックスピーカー端に引っ掛けた弾性部品は、スプリング、弾性片、バネ線の何れかであることを特徴とする請求項１に記載の多チャンネルセラミックスピーカーヘッドフォン。
【請求項３】
前記筐体の内側縁の上下で内側方向に突伸する支持架は、筐体の内側端から支持棒を突伸させ、支持棒の上端には傾斜するホールド板を配置し、中高音チャンネルセラミックスピーカーをホールド板に固定することを特徴とする請求項１に記載の多チャンネルセラミックスピーカーヘッドフォン。
【請求項４】
前記筐体の内側端の上下で内側方向に突伸する支持架は、筐体の内側端から支持棒を突伸させ、支持棒の上端には、球体と、中高音チャンネルセラミックスピーカーを固定するためのホールド板とを配置し、ホールド板の底端には支持棒の球体を包覆する嵌合部を配置し、嵌合部は球体に沿って回転してホールド板の角度を調整し、大きさの異なる中高音チャンネルセラミックスピーカーを組み合わせることを特徴とする請求項１に記載の多チャンネルセラミックスピーカーヘッドフォン。
【考案の詳細な説明】
【技術分野】
【０００１】
本考案は、多チャンネルセラミックスピーカーヘッドフォンに関し、特に、低音及び中高音チャンネルセラミックスピーカーによりオーディオ信号を受信した後、異なる音域のサウンドを導き出し、ヘッドフォンに多チャンネルの聴取効果をもたらす多チャンネルセラミックスピーカーヘッドフォンに係る。
【背景技術】
【０００２】
科学技術の日進月歩する中、一般の高音質音響或いは多チャンネル立体音響を生じさせるパソコンゲーム機商品が日増しに幅広く使用されている。それに対し、前記商品に使用されるヘッドフォンは、更に精巧化されている。伝統的なヘッドフォンは、磁石やボイスコイルを含む小型スピーカーにより構成される故、立体音声を生じさせる効果が存在するだけで、高音質サウンドやパソコンゲーム等の使用者の要望を満足させられない。現有するパソコンゲーム専用の多チャンネルヘッドフォンは、スピーカーのボイスコイルを巻き付ける厚みがあるため、現段階では、小型化することは難しく、また、更に軽く薄くすることはできず、その体積によって、商品を携帯する要望を叶えることが難しい状況である。尚、薄型化のヘッドフォンは、高、中、低音の再現を考えなくてはならないが、薄型化によって音声の損失を引き起こすこともあり、実際には、業者や消費者に受け入れられないこともある。出願人は、以上の問題点に鑑み、本業務に長年従事してきた経験に基づいて、研究、実験を繰り返し行ない、ついに、非磁性、且つ、音声効果がより好ましいヘッドフォンの改善に至った。
【考案の概要】
【考案が解決しようとする課題】
【０００３】
本考案の主な目的は、低音及び中高音チャンネルセラミックスピーカーがオーディオ信号を受信した後、音域の異なるサウンドを導き出すヘッドフォンが多チャンネル聴取効果を達成し、尚且つ、ボイスコイルを備えない薄型化により、携帯に利便をはかる多チャンネルセラミックスピーカーヘッドフォンを提供することにある。
【課題を解決するための手段】
【０００４】
前述した多チャンネルセラミックスピーカーヘッドフォンは、筐体と、その筐体に異なる音域を配置し、且つ薄型化したセラミックスピーカーとを含む。その内、筐体には、収容室を設け、収容室には低音セラミックスピーカーを配置し、低音セラミックスピーカー端には弾性部品を設けて、収容室の内壁に引っ掛ける。筐体の内側縁の上下には、内側方向に延伸し、適当な傾斜角度を有する支持架を設け、支持架にはそれぞれ、中高音チャンネルセラミックスピーカーを配置して、多チャンネル音声モジュールを構成し、二つの多チャンネル音声モジュールをそれぞれヘッドフォンに取り付ける。低音及び中高音チャンネルセラミックスピーカーがオーディオ信号を受信した後、導き出される異なる音域のサウンドによって、ヘッドフォンは多チャンネル聴取効果を果たす。
【０００５】
前記多チャンネルセラミックスピーカーヘッドフォンにおいて、筐体の内側端に配置した支持架は、筐体の内側端から突出した支持棒を延伸し、支持棒の上端には傾斜したホールド板を配置し、中高音チャンネルセラミックスピーカーをホールド板に固定する。
【０００６】
前記多チャンネルセラミックスピーカーヘッドフォンにおいて、筐体の内側端に配置した支持架には、筐体の内側端から突出した支持棒を延伸させ、支持棒の上端には球体を配置し、中高音チャンネルセラミックスピーカーをホールド板に固定し、ホールド板の底端には支持棒の球体を包覆する嵌合部を配置し、嵌合部は球体に沿って回転してホールド板の角度を調整する。これにより、大きさの異なる中高音チャンネルセラミックスピーカーを組み合わせることができる。
【考案の効果】
【０００７】
本考案の多チャンネルセラミックスピーカーヘッドフォンは、低音及び中高音チャンネルセラミックスピーカーによりオーディオ信号を受信した後、異なる音域のサウンドを導き出すヘッドフォンが多チャンネルの聴取効果を発揮する。
【図面の簡単な説明】
【０００８】
【図１】本考案の多チャンネル音声モジュールの断面図である。
【図２】本考案のセラミックスピーカーの分解図である。
【図３】本考案をヘッドフォンに取り付けた実施例図である。
【図４】本考案の動作実施例図である。
【図５】本考案の中高音チャンネルセラミックスピーカーの支持架に関するもう一つの実施例図である。
【図６】本考案の中高音チャンネルセラミックスピーカーを調整している実施例図である。
【考案を実施するための形態】
【０００９】
図１及び図２に、本考案の多チャンネル音声モジュールの断面図と、セラミックスピーカーの分解図を示す。図に示すとおり、本考案は、筐体１と、その筐体１に異なる音域を配置し薄型化した低音セラミックスピーカー２と、中高音チャンネルセラミックスピーカー３と、筐体１の前方端に結合する前蓋４とを備える。その内、筐体１には収容室１１を備え、収容室１１には低音セラミックスピーカー２を備え、低音セラミックスピーカー２の端は弾性部品２０（本実施例はスプリングとするが、弾性片、バネ線等とすることも可能）を用いて収容室１１の内壁に引っ掛け、筐体１の内側端の上下には、内側方向に突出し、適当な傾斜角度を有する支持架１２を延伸させる。支持架１２は、筐体１の内側端から支持棒１２１を突出させ、支持棒１２１の上端には傾斜するホールド板１２２を配置し、中高音チャンネルセラミックスピーカー３をホールド板１２２に固定する。
【００１０】
低音セラミックスピーカー２と中高音チャンネルセラミックスピーカー３は、上振動板２１（３１）と、下振動板２２（３２）と、鋼板２３（３３）とを含む。下振動板２２（３２）のエッジ近くの箇所には、半円状に浮き出して突出して周辺に位置する、フレームストッパー部２２１（３２１）を形成し、下振動板２２の中央には、開孔２２２（３２２）を設ける。上振動板２１（３１）は、下振動板２２（３２）のフレームストッパー部２２１の内側エッジの面積とほぼ同様とし、その中央には開孔２１１（３１１）を設ける。鋼板２３（３３）は、複数層のセラミック材料を重ね合わせて形成されるセラミックスピーカー２３１（３３１）を備え、セラミックスピーカー２３１（３３１）にハンダ付けして、パワーアンプ回路の導線２３２（３３２）に連結する。
【００１１】
前蓋４には、複数の貫通孔４１を備える。
【００１２】
前記構成要素の組み合わせによって、多チャンネル音声モジュールＡを構成し、二つの多チャンネル音声モジュールＡをそれぞれ、ヘッドフォンに取り付け、低音セラミックスピーカー２と中高音チャンネルセラミックスピーカー３とによってオーディオ信号を受信し、音域の異なるサウンドを導き出すヘッドフォンは、多チャンネルの聴取効果を達成する。また、多チャンネルのヘッドフォンは、ボイスコイルを備えない薄型化により、携帯に利便をはかる。
【００１３】
図３及び図４には、本考案をヘッドフォンに取り付けた実施例図と、動作実施例図を示す。図１に示す通り、本実施例では、二つの多チャンネル音声モジュールＡをそれぞれ、固定台５１に取り付ける。固定台５１にはイヤーパッド５２を取り付け、固定台５１に連結するヘッドバンド５３を組み合わせて、頭の上に乗せるヘッドフォン５を構成する。使用者がイヤーパッド５２を耳に密着させると、低音セラミックスピーカー２と中高音チャンネルセラミックスピーカー３によってオーディオ信号が受信され、異なる音域のサウンドを導き出すため、ヘッドフォン５は多チャンネル音響の聴取効果を達成する。
【００１４】
図５及び図６に、本考案の中高音チャンネルセラミックスピーカーの支持架に関するもう一つの実施例図、及び調整状態の実施例図を示す。図に示すとおり、本考案の筐体１の内側端に配置した支持架１２は、筐体１の内側端から突出する支持棒１２１を延伸させ、支持棒１２１の上端には球体１２３を配置し、中高音チャンネルセラミックスピーカー３をホールド板１２２に固定する。ホールド板１２２の底端には、支持棒１２１の球体１２３を包覆する嵌合部１２４を配置し、嵌合部１２４は球体１２３に沿って回転してホールド板１２２の角度を調整する。よって、大きさの異なる中高音チャンネルセラミックスピーカー３に組み合わせることができる。大きさの異なる中高音チャンネルセラミックスピーカー３は振幅を変更する故、角度調整によって振幅の変化に対応させる。
【００１５】
前記実施例は、単に本考案の好ましい実施方式を説明したのみであり、本考案の範囲を制限するものではない。若干の修飾や変更が本考案の主な意義を失わないものについては、本考案の創作精神の範疇を逸脱しないものと見なすことをここに明記する。
【００１６】
前述したとおり、本考案は、収容室とホールド板を備える筐体に、低音及び中高音チャンネルセラミックスピーカーを組み合わせて、多チャンネルセラミックスピーカーヘッドフォンを構成する。また、低音及び中高音チャンネルセラミックスピーカーを経てオーディオ信号を受信した後に、音域の異なるサウンドを導き出すヘッドフォンは、多チャンネルの聴取効果を達成し、尚且つ、ボイスコイルを備えない薄型化により、携帯に利便をはかる。本考案は、実用性を有する設計であり、新規性を備える創作に属する故、法に基づいて実用新案登録の出願を行う。ここに、審査による早期の認可を貴庁にお願い申し上げます。
【符号の説明】
【００１７】
１  筐体
１１  収容室
１２  支持架
１２１  支持棒
１２２  ホールド板
１２３  球体
１２４  嵌合部
２  低音セラミックスピーカー
２０  弾性部品
２１  上振動板
２１１  開孔
２２  下振動板
２２１  フレームストッパー部
２２２  開孔
２３  鋼板
２３１  セラミックスピーカー
２３２  導線
３  中高音チャンネルセラミックスピーカー
３１  上振動板
３１１  開孔
３２  下振動板
３２１  フレームストッパー部
３２２  開孔
３３  鋼板
３３１  セラミックスピーカー
３３２  導線
４  前蓋
４１  貫通孔
５  ヘッドフォン
５１  固定台
５２  イヤーパッド
５３  ヘッドバンド
Ａ  多チャンネル音声モジュール
【図１】
0003169446.tif 000003
【図２】
0003169446.tif 000004
【図３】
0003169446.tif 000005
【図４】
0003169446.tif 000006
【図５】
0003169446.tif 000007
【図６】
0003169446.tif 000008